(57)【特許請求の範囲】
【請求項１】
気圧もしくは高度を測定する測定手段と、
時間の記録を行うべき地点における当該気圧もしくは高度の値を目標値として予め記憶する記憶手段と、
時間の計測を開始した後、測定手段による測定値が目標値に一致した時点における時間の計測値を記録する記録手段とを有し、
前記目標値が、時間の計測を開始する地点において１回のボタン操作で前記測定手段により実際に測定された気圧と温度及び時間の計測を開始する地点と時間の記録を行うべき地点との高度差に基づいて導出された、時間の記録を行なうべき地点における推定値であるストップウォッチ。
【請求項２】
気圧もしくは高度を測定する測定手段と、
時間の記録を行うべき地点における当該気圧もしくは高度の値を目標値として予め記憶する記憶手段と、
時間の計測を開始した後、測定手段による測定値が目標値に一致した時点における時間の計測値を記録する記録手段とを有し、
前記記憶手段に記憶された目標値を測定手段で測定される気圧もしくは高度の時間的な変動傾向に基づいて補正する補正手段を有し、該補正手段により補正された目標値に前記測定手段による測定値が一致した時点における時間の計測値を前記記録手段が記録するように構成されているストップウォッチ。
【請求項３】
時間の計測の開始前の一の時点において時間の記録を行なうべき地点で前記測定手段により実際に測定された値と時間の計測を実際上開始する時点において時間計測開始地点で前記測定手段により実際に測定された値とに基づいて時間的な変動傾向を求める変動傾向演算手段を有する請求項２に記載のストップウォッチ。
【請求項４】
時間の記録を行うべき前記地点において時間の計測を停止するように構成された請求項１から３までのいずれか一つの項に記載のストップウォッチ。
【請求項５】
時間の記録を行うべき地点が複数あり、該地点のうち少なくとも一つの地点において、計測値を記憶手段に記憶するように構成された請求項１から４までのいずれか一つの項に記載のストップウォッチ。
【請求項６】
計時開始信号により計時を開始し、計時停止信号により計時を停止する計時手段と、
気圧測定手段と、
記憶手段と、
気圧測定手段による測定気圧値を目標気圧値として記憶手段に格納させる目標値設定指示手段と、
気圧測定手段により測定される気圧の時間的な変動傾向に基づいて、時間の経過に応じて、記憶手段に格納された目標気圧値を補正する補正手段と、
気圧測定手段による測定気圧値が補正手段により補正された目標気圧値に一致した際、計時停止信号を計時手段に与える計時停止制御手段と
を有するストップウォッチ。
【発明の詳細な説明】
【０００１】
【発明の属する技術分野】
本発明は、ストップウォッチに係わり、より詳しくは、本人が独自に計時を行うに適したストップウォッチに係わる。
【０００２】
【従来の技術】
スポーツをしている本人が転倒などの虞なく時間の計測・記録を行い得るようにするために、本人がストップウォッチに打撃などの衝撃を加えることによって中間の特定地点でのスプリットタイムを記録ないし記憶させたりゴール地点で計時を停止させるようにした衝撃応動型のストップウォッチは知られている（例えば、特開昭６３−１２７１８３号公報）。
【０００３】
【発明が解決しようとする課題】
しかしながら、スポーツをしている最中にも種々の原因でストップウォッチに衝撃が加わる虞がある。例えば、スキーの滑降にこの種の衝撃応動型のストップウォッチを用いると、激しいストックワークやポールとの衝突の際の衝撃によっても、誤ったスプリットタイムが記憶されたりゴールと誤認した計時の停止が生じることになり、意図している計時を行い難い。
【０００４】
なお、この種の衝撃応動型のストップウォッチにおいて、計時開始後所定の時間内に加えられる衝撃はスプリットタイムの記録指示としては受取られないようにすることも、提案されている（実開平５−５９３８９号公報）。しかしながら、この提案の技術によっても、誤計測を避け得るのは計時開始後所定の時間に限られる。
【０００５】
本発明は、前記した点に鑑みなされたものであって、その目的とするところは、衝撃などの外部擾乱によって計時が乱される虞が低く、確度の高い自動計時機能を備えたストップウォッチを提供することにある。
【０００６】
【課題を解決するための手段】
本発明のストップウォッチは、前記した目的を達成すべく、一の物理量を測定する測定手段と、時間の記録を行うべき地点における当該一の物理量の値を目標値として予め記憶する記憶手段と、時間の計測を開始した後、測定手段による測定値が目標値に一致した時点における時間の計測値を記録する記録手段とを有する。
【０００７】
本発明のストップウォッチでは、「時間の記録を行うべき地点における一の物理量の値を目標値として予め記憶する記憶手段と、一の物理量を測定する測定手段と」が設けられているから、中間点やゴールのような時間の記録を行うべき地点に達したかどうかを、測定手段による一の物理量の測定値が目標値に達したかどうかにより判別し得る。しかも、本発明のストップウォッチでは、「時間の計測を開始した後、測定手段による測定値が目標値に一致した時点における時間の計測値を記録する記録手段」が設けられているから、中間点やゴールのような時間の記録を行うべき地点に達すると、ストップウォッチの使用者が操作しなくても、その時点における時間の計測値が、記録手段に記録され得る。従って、転倒などの虞れなく、所望の計時記録が可能である。特に、計時記録は、一の物理量の測定値が記録の行われるべき地点において採るべき目標値に達したかどうかを基準に行われるから、衝撃のような外部擾乱によって誤った計時記録がなされる虞れが少ない。
【０００８】
この明細書において、「記録手段による記録」は、メモリやレジスタその他の記憶手段による記憶のみでなく、ディスプレイのような表示手段による表示なども含み、場合によっては、遠隔地で計時データを記憶させるべく行われる送信手段による計時値の送信などでもよい。なお、記憶手段による記憶は、一時的なものでも、永続的なものでもよい。ゴール地点での記録のみを行えばよいようなときには、液晶表示装置のようなディスプレイで時間を表示するだけでも、時間を表示すると共に記憶手段に格納するようにしておいても、単に記憶手段に記憶させて後で所望に応じて読出し得るようにしておいてもよい。
【０００９】
測定手段により測定される一の物理量は、測定開始後、時間の計測値を記録すべき地点に独特の値を採るものであれば、どのようなものでもよい。例えば、スキーの滑降の時間やマウンテンバイクによる走行の時間の計測・記録などのためには、この物理量としては、高度ないし気圧が用いられ得る。スタート地点からゴール地点までは高度が単調に減少しているときには、任意の中間点のスプリットタイムも一意的に計測され得る。なお、スタート地点とゴール地点との間の中間で起伏のために高度が厳密には単調には減少していない場合でも、中間地点やゴール地点と同一の高度になる別の地点がないようなときには、中間地点やゴール地点の通過は、当該地点の高度や気圧として一意的に検出ないし測定され得る。ここで、典型的には、高度として気圧を測定すればよいけれども、高度として他の物理量を測定してもよい。ハンググライダーによる飛行時間の計測等の場合も同様である。なお、場合によっては、複数の物理量を測定して該物理量の組合せによって各地点を識別するようにしておいてもよい。例えば、ＧＰＳを利用した位置測定を利用又は併用してもよい。
【００１０】
目標値として記憶手段に予め記憶されるべき一の物理量の値、すなわち、中間点やゴールのような時間の記録を行うべき地点での一の物理量の値は、好ましくは、当該地点において、予め（好ましくは直前に）、当該ストップウォッチの測定手段により、測定された値である。その場合、例えば、当該ストップウォッチの測定手段の測定値に初期のキャリブレーションずれがあるときでも、当該測定手段に独自の特性のズレが目標値にそのまま反映されるから、当該地点の通過検出の確度は高いものになる。また、一の物理量が気圧のように時間的に変動するものであっても、短い時間の範囲内であれば時間的な変動の影響が少ない。
【００１１】
但し、時間の計測を開始する地点で測定した前記一の物理量の測定値に基づいて、時間の記録を行なうべき地点における該物理量を比較的正確に推定可能であるような場合には、時間の記録を行なうべき地点で予め測定する代わりに、時間の計測を開始する地点において前記測定手段により実際に測定された値に基づいて時間の記録を行なうべき地点における推定値を導出し、該導出推定値を目標値として記録手段に格納するようにしてもよい。
【００１２】
すなわち、例えば、時間の計測開始地点（スタート地点）で一の物理量（例えば気圧）を測定手段で測定し、その測定値（気圧値）に、計測開始地点と時間の測定を行うべき地点（例えばゴール地点）との高度差などに起因する気圧差をその時点における気圧レベルに応じた修正係数を考慮して付加して、時間の記録を行うべき地点（ゴール地点等）での目標値を求めて記憶手段に記憶させるようにしてもよい。この場合でも、特定のストップウォッチの測定手段に独自の特性のズレは、当該測定手段を使って測定することにより部分的には相殺され得るから、計時・記録値に誤差が生じる虞は比較的少ない。
【００１３】
特に、例えば、ゴール地点（時間の記録を行なうべき地点）からスタート地点までリフトなどで登り且つスタートの順番を待ってスタートするスキーの滑降競技等の場合、ゴール地点で予め気圧のような一の物理量を測定した後実際にスタートするまでに相当の時間が経過して当該時間の間にその地域の気圧が無視できない程度に変動する虞れがあることもあり得る。そのようなときは、むしろ、気圧の時間的な変動の影響を最小限に抑えるべく、スタートの際すなわちスタートの直前又はまさにスタートの時点でスタート地点の気圧を測定するようにし、該測定値とスタート地点からゴール地点までの高度差とに基づいて、ゴール地点の気圧を所望の推定演算式を用いて推定し、該推定値を目標値にする方が、むしろ目標値の確度が高くなることもあり得る。
【００１４】
測定対象となる物理量が、時間的に変動しにくいような場合、所望ならば、予めわかっている標準値を目標値として記憶手段に記憶させるようにしてもよい。
【００１５】
なお、気圧のような測定すべき一の物理量の時間的変動を無視し難いときには、ストップウォッチが、記憶手段に記憶された目標値を測定手段で測定される物理量の時間的な変動傾向に基づいて補正する補正手段を有し、該補正手段により補正された目標値に前記測定手段による測定値が一致した時点における時間の計測値を前記記録手段が記録するように構成されることが好ましい。
【００１６】
このようなストップウォッチでは、補正手段で目標値自体を補正することにより、時間的な変動の影響を最小限に抑え得るから、測定の確度が高められ得る。この場合、補正対象となる当初の目標値は、典型的には、時間の記録を行なうべき地点で実際に測定された測定値である。但し、時間的な変動が大きいような場合には、時間間隔を極力小さくして時間的な変動を単調増加または同減少にとどめるべく、時間の記録を開始すべき地点で実際上スタートの際測定した値に基づいて推定された時間記録地点での推定値を当初の目標値としてもよい。
【００１７】
なお、このストップウォッチは、典型的には、時間の計測の開始前の一の時点において時間の記録を行なうべき地点で前記測定手段により実際に測定された値と実際上時間の計測を開始する時点において時間計測開始地点で前記測定手段により実際に測定された値とに基づいて時間的な変動傾向を求める変動傾向演算手段を有する。但し、時間的な変動が単調増加または単調減少ではないような場合には、時間間隔を極力小さくして時間的な変動を単調増加または同減少にとどめるべく、時間の記録を開始すべき地点でスタートの際測定した値に基づいて推定された時間記録地点での推定値と当該スタート地点において少し前の時点で測定した値に基づいて推定された時間記録地点での推定値とから、時間的な変動傾向を求めるようにしておいてもよい。
【００１８】
以上のような本発明のストップウォッチは、気圧を検出するように構成されている場合、典型的には、
計時開始信号により計時を開始し、計時停止信号により計時を停止する計時手段と、気圧測定手段と、記憶手段と、気圧測定手段による測定気圧値を目標気圧値として記憶手段に格納させる目標値設定指示手段と、気圧測定手段による測定気圧値が記憶手段に格納された目標気圧値に一致した際、計時停止信号を計時手段に与える計時停止制御手段とを有するストップウォッチ、又は
計時開始信号により計時を開始し、計時停止信号により計時を停止する計時手段と、気圧測定手段と、記憶手段と、気圧測定手段による測定気圧値を目標気圧値として記憶手段に格納させる目標値設定指示手段と、気圧測定手段により測定される気圧の時間的な変動傾向に基づいて、時間の経過に応じて、記憶手段に格納された目標気圧値を補正する補正手段と、気圧測定手段による測定気圧値が補正手段により補正された目標気圧値に一致した際、計時停止信号を計時手段に与える計時停止制御手段とを有するストップウォッチ
からなる。
【００１９】
次に、本発明による好ましいいくつかの実施の形態を添付図面に示した好ましいいくつかの実施例に基づいて説明する。
【００２０】
【実施例】
本発明による好ましい第一実施例のストップウォッチ１は、図１の（ａ）にその概略をブロック図で示したように、一の物理量として高度を表す気圧すなわち圧力Ｐを測定する測定手段ないし気圧測定手段としての圧力測定部ないし圧力センサ１０と、計時手段としてのカウンタ３０と、目標圧力値Ｐｇ等を記憶ないし格納する記憶手段としてのＲＡＭのような記憶部４０と、押圧などにより記憶部４０への記憶や計時開始・停止などを指示する入力指示部ないし入力指示ボタン５１、５２のような入力部５０と、プログラム制御されるマイクロプロセッサの演算制御部などからなる制御手段としての制御部６０と、液晶ディスプレイのような記録手段ないし表示手段としての表示部７０とを有する。以下においては、説明の簡明化のために、測定・比較・表示される量が気圧ないし圧力Ｐであるとして説明するけれども、実際上は、圧力Ｐを高度Ｈに換算して表示しても両方を表示してもよい。
【００２１】
より詳しくは、制御部６０は、目標値設定制御部６１、比較部６２及び計時制御部６３などを含み、目標値設定制御部６１は、目標値設定手段としての目標値設定指示部ないし目標値設定指示ボタン５１から該ボタン５１の押圧などにより目標値設定指示信号Ｓｍを受取ると、圧力センサ１０により圧力Ｐの測定を行わせると共に、その測定時点における圧力センサ１０の検出ないし感知圧力値Ｐｇを目標圧力値として記憶部４０に格納し、更に、表示部７０に目標圧力値Ｐｇを表示させる。
【００２２】
計時制御部６３は、例えば計時中、状態Ｃ１か否か（状態Ｃ０か）の二状態Ｃ１、Ｃ０を識別する計時制御状態記憶部６４を備え、計時制御状態記憶部６４が状態Ｃ０にある際計時開始・停止指示部ないし計時開始・停止指示ボタン５２から該ボタン５２の押圧などにより計時開始・停止指示信号Ｓｔを受取ると、計時制御状態記憶部６４がＣ１に設定されると共に、カウンタ３０に計時開始信号Ｓｔｉを与えてカウンタ３０に計時動作を開始させ、圧力センサ１０に圧力測定開始信号Ｓａを与えて圧力Ｐの継続的測定を開始させ、更に比較部６２に比較開始指示信号Ｓｃを与える。なお、カウンタ３０による計時開始後の計時値ないし時間計測値ｔは表示部７０に表示される。
【００２３】
比較部６２は、比較開始指示信号Ｓｃを受取ると、圧力センサ１０による検出圧力Ｐを記憶部４０に記憶された目標圧力値Ｐｇと比較し、検出圧力Ｐが目標圧力Ｐｇに達すると、すなわち、検出圧力Ｐが目標圧力Ｐｇに一致するか目標圧力Ｐｇより大きくまたは小さくなると、ゴール到着又は目標到達信号ないし一致信号Ｓｐを計時制御部６３に送る。
【００２４】
計時制御部６３は、計時制御状態記憶部６４が状態Ｃ１にある際一致信号Ｓｐを受取ると、計時停止信号Ｓｔｆをカウンタ３０に送り、カウンタ３０による計時動作を停止させる。これに伴い、表示部７０は、カウンタ３０による計時開始から計時停止までの時間ｔ＝Ｔｍを表示した状態に保たれる。なお、計時制御部６３は、計時値Ｔｍを記録手段としても働く記憶部４０に読出可能に格納するように構成されていてもよい。この例では、計時停止制御手段は、比較部６２と計時制御部６３とからなる。
【００２５】
なお、計時制御部６３は、計時制御状態記憶部６４が状態Ｃ１にある際計時開始・停止指示ボタン５２の押圧による計時開始・停止指示信号Ｓｔを受取ると、計時制御状態記憶部６４が状態Ｃ０に戻ると共に、カウンタ３０に計時停止信号Ｓｔｆを送って、同様にカウンタ３０による計測を停止させる。これは、ストップウォッチとしての通常の使い方に相当する。このような使い方をするときには、計時開始指示する計時開始・停止指示信号Ｓｔに応じた圧力測定開始信号Ｓａを無効化するような指示を与え得るように、ストップウォッチ１を構成しておいてもよい。
【００２６】
ストップウォッチ１は、例えば、図５の（ｂ）に示したように、いわゆる腕時計と同様な形態の本体部２と、バンド３とからなり、例えば、押しボタン４により、通常の時計モードとストップウォッチモードとの間で、切替可能なものからなる。本体部２は、金属製等の飾り縁５を有し、更に、目標設定指示ボタン５１及び計時開始・停止指示ボタン５２などの入力部５０をケース７に備えると共に、ガラス６の内側に、液晶ディスプレイからなる表示部７０を備える。例えば、目標設定指示ボタンと計時開始・停止指示ボタンとは共用の一つのボタン、例えばボタン５１からなっていてもよく、その場合、例えばボタン５１の押圧回数やボタン５１及びボタン４の押圧順序や回数の組合せにより、ボタン５１の押圧が目標設定指示動作であったり計時開始指示動作になるように、制御部６０（図１の（ａ））を構成しておけばよい。
【００２７】
圧力測定部を構成する圧力センサ１０は、図５の（ａ）に示したように、飾り縁５の内側において、パッキン１１を介してケース７の凹部１２内に配設・固定されている。圧力センサ１０の感圧面１３の前面には、飾り縁５で覆われた室１４が形成され、この室１４は、ケース７の表面１５に形成され連通路として働く溝１６、及び飾り縁５の内周縁と前面のガラス６の外周縁との間の隙間１７を介して、外部に連通している。連通路１６の構成すなわち形状や配置などは図示のものとは異なっていてもよい。
【００２８】
圧力センサ１０としては、例えば、シリコン半導体チップ上に形成された拡散抵抗層のように、室１４内の圧力Ｐの変動に応じて歪み状態が変動してその電気抵抗が変化するものを用いる。勿論、圧力センサとしては、他の種類の歪みゲージや圧電トランスデューサのような他のタイプのものでもよい。１８はプリント回路基板、１９は基板１８への圧力センサ１０の取付端子である。
【００２９】
なお、高度をＨとすると、圧力センサ１０により検出される圧力ないし気圧Ｐは、一般的には、Ｐ＝Ｐｇ・ｅｘｐ｛−α・（Ｈ−Ｈｇ）／Ｔ｝で与えられる。ここで、Ｈｇは目標地点の高度、Ｐｇは目標地点での圧力（気圧）、αは定数、Ｔは温度である。すなわち、高度Ｈの増大に応じて圧力Ｐは単調に減少するから、圧力センサ１０で圧力Ｐを測定することは、高度Ｈを測定していることと等価である。
【００３０】
なお、より厳密に、圧力を求めようとする場合、例えば、下記の式をもちいても、他の種類の式を用いてもよい。
Ｈ＝４４３３２×｛１−（Ｐ／１０１３．２５）0.1903｝
ここで、Ｈはｍ単位での高度値、ＰはｈＰａ単位での気圧値である。
【００３１】
図５の（ａ）において、８は裏蓋であり、ケース７並びにガラス板６および裏蓋８に囲まれた室９内には、制御部６０や記憶部４０やカウンタ３０などが配置されている。ディスプレイ７０はガラス板６の底部に組込まれていても、室９内で該室９の上部に配置されていてもよい。
【００３２】
以上の如く構成された本発明による好ましい第一実施例のストップウォッチ１をスキーの滑降における計時に用いる場合を例にとって、その動作ないし操作を、図１の（ａ）及び図５に加えて、図２から４及び図６を参照して説明する。
【００３３】
図６に示した山９０の斜面９１に沿って滑降をしようとする人ないしスキーヤーＭは、まず、高度Ｈｇで圧力Ｐｇのゴール地点Ｇにおいて、目標圧力値Ｐｇの設定ないし入力を行う（全体の処理のフローを示した図２のうち、ステップＳ１０）。
【００３４】
すなわち、必要に応じて、ボタン４（図５の（ｂ））などでストップウォッチモードに設定した後、スキーヤーＭは、山９０の麓のゴール地点Ｇにいるときに、目標値設定指示ボタン５１を押す（目標値入力処理のフローを示した図３の（ａ）のうち、ステップＳ１１）。これにより、ボタン５１からの目標値設定指示信号Ｓｍが目標値設定制御部６１（図１の（ａ））に送られ、該制御部６１の制御下で、圧力センサ１０による気圧Ｐの測定が行われると共に（図３の（ａ）のステップＳ１２）、圧力センサ１０で測定された圧力値Ｐ＝Ｐｇがメモリ４０に目標値すなわちゴール地点Ｇの気圧Ｐｇとして格納され（ステップＳ１３）、更に、表示部７０で表示される（ステップＳ１４）。所望ならば、圧力センサ１０による圧力測定は常時行われるようにしておいて、目標値設定制御部６１は、単にセンサ圧力Ｐを読み出してメモリ４０への格納と表示部７０での表示を制御するようにしておいてもよい。これらの場合において、生の気圧値ないし圧力値Ｐｇを表示するようにしても、高度Ｈｇに変換して表示するようにしてもよい。なお、目標値設定制御部６１は、目標値Ｐｇのメモリ４０への格納の際、同時に、計時制御部６３にリセット信号Ｓｒを送って、計時制御状態格納部６４をリセットして強制的に状態Ｃ０にする。
【００３５】
ここで、設定された目標値Ｐｇは、後の計時停止の基準値になる。ゴール地点Ｇでの気圧値Ｐｇは、日により、また場合によっては時間によって異なり得る。しかしながら、短い時間の間についていえば、ゴール地点Ｇでの気圧Ｐｇは実際上一定であるとみなし得る。従って、この目標値Ｐｇの設定から比較的短い時間の間は、ゴール地点よりも上では圧力ＰはＰｇよりも小さく、ゴール地点Ｇよりも下では圧力ＰはＰｇよりも大きいから、この値Ｐｇは正確にゴール地点Ｇの気圧に対応するので、測定圧力Ｐを目標値Ｐｇと比較することにより、ゴール地点Ｇに達したかどうかを識別し得ることになる。
【００３６】
また、圧力センサ１０に個体毎にズレがあり、圧力センサ１０により検出される圧力に初期のキャリブレーションずれがある場合であっても、当該スキーヤーＭが用いる圧力センサ１０が特定の目標値Ｐｇ、例えばＰｇ０を指していれば、その圧力センサ１０の測定確度にかかわらず、当該スキーヤーＭは目標地点すなわちゴール地点Ｇに達したことになる。
【００３７】
従って、このような目標値Ｐｇの設定は、二種類の原因による誤差を同時に避けることを可能にする。
【００３８】
次に、スキーヤーＭは、山９０の上のスタート地点Ｂまで、リフト９８などで上る（図６）。スキーヤーＭは、スタート地点Ｂから滑降を開始する際、ストップウォッチ１に時間計測開始処理すなわち計時開始処理を行わせる（図２のステップＳ２０）。すなわち、スキーヤーＭは、スタート地点Ｂから滑降を開始する際、計時開始・停止指示ボタン５２を押す（時間計測開始処理のフローを表す図４のうち、ステップＳ２１を「Ｙ」で抜ける）。このとき、計時状態記憶部６４は状態Ｃ０に設定されており計時中ではないから（ステップＳ２２を「Ｎ」で抜ける）、計時制御部６３は計時開始・停止指示信号Ｓｔに応じて計時開始信号Ｓｔｉをカウンタ３０に与え（図１の（ａ））、カウンタ３０による計時が開始され（図４のステップＳ２３）、カウンタ３０による計時開始時点の時間の計測値ｔがディスプレイ７０の画面上に表示される（ステップＳ２５）。
【００３９】
なお、通常のストップウォッチ動作をさせる場合には、次にボタン５２（図１の（ａ）など）が押される（図４のステップＳ２２を「Ｙ」で抜ける）と、ストップウォッチ１のカウンタ３０による計時が停止される（ステップＳ２６）。この停止時点の計時値は、ディスプレイ７０の画面上で表示される（ステップＳ２５）。
【００４０】
時間計測開始処理Ｓ２０が行なわれると、継続的に時間の計測が行なわれる（ステップＳ３０）と共に、圧力測定開始信号Ｓａが計時制御部６３から圧力センサ１０に与えられて、圧力センサ１０による圧力Ｐの継続的測定が開始される。時間の計測開始と実際上同時にスキーヤーＭが斜面９１のコースに沿って滑降を開始すると、スキーヤーＭの高度が時々刻々下がるので、気圧Ｐは時々刻々上がる。この気圧Ｐは、図５の（ｂ）に示したように、スキーヤーＭが腕９２にはめたストップウォッチ１の圧力センサ１０で測定される（図２のステップＳ４０）。スキーヤーＭは、高速で滑降しているから、図５の（ｂ）に示したように、スキーヤーＭのスキーウェア９３や手袋９４の表面に沿って高速の空気の流れＶが生じる。しかしながら、ストップウォッチ１０は、スキーウェア９３や手袋９４によって覆われているから、ストップウォッチ１の間隙１７（図５の（ａ））の外側の開口部１７ａでは、空気流は実際上なく、開口部１７ａは、スキーヤーＭが滑降中の高度Ｈに応じた静圧Ｐを採るとみなし得る。
【００４１】
圧力センサ１０で検出ないし測定した圧力値Ｐは、比較部６２でゴール地点Ｇの目標圧力値Ｐｇと比較される（ステップＳ５０）。ＰがＰｇに達しないと、計時開始後の時間ｔがディスプレイ７０で表示される（ステップＳ６０）。なお、ディスプレイ７０では、時間ｔに加えて各時点における圧力Ｐ（すなわち高度Ｈ）を同時に表示するようにしておいてもよい。継続的に時間計測（ステップＳ３０）を行ないながら、スキーヤーＭがゴール地点Ｇに達するまで、気圧測定（ステップＳ４０）、目標気圧値Ｐｇとの比較（ステップＳ５０）及び計測時間の表示（ステップＳ６０）が続けられる。
【００４２】
スキーヤーＭがゴール地点Ｇに達すると、比較部６２でセンサー圧力Ｐが目標圧力Ｐｇに達したことが判定されるから、ステップＳ５０を「Ｙ」で抜ける。このとき、比較部６２から計時制御部６３に計時停止指示信号Ｓｐが送られ（図１の（ａ））、計時制御部６３からカウンタ３０に計時停止信号Ｓｔｆが送られて、カウンタ３０による計時が停止され（ステップＳ７０）、ディスプレイ７０で計時停止時点のカウンタ３０の内容が表示される（ステップＳ８０）。以上において、ステップＳ２０からＳ８０までの全体が、時間の計測処理Ｓ９０である。
【００４３】
このようにして、スキーヤーＭがゴール地点Ｇに達すると、スキーヤーＭが何ら手動操作することなくして、カウンタ３０による計時が停止されてｔ＝Ｔｍで保持され、スキーヤーＭの滑降時間Ｔｍが表示される。従って、スキーヤーＭは、転倒などの虞なく、本人の滑降時間を計時し得る。また、スキーヤーＭが滑降中にポールに当たった際等に衝撃等を受けても、該衝撃などによってストップウォッチ１が誤動作する虞も少ない。
【００４４】
以上においては、スタート地点Ｂからゴール地点Ｇまでの滑降時間Ｔを測定しているだけであるけれども、所望ならば、任意の一つ又は複数の中間点Ａにおける中間の滑降時間を計測するようにしてもよい。そのためには、例えば、リフト９８等で上っている際、中間地点Ａに相当する高さ位置を通る毎に、ゴール地点Ｇでも目標値設定処理と同様に、中間地点Ａの圧力値Ｐａを中間の目標値として設定・記憶させるようにし、ステップＳ５０での目標値との比較ステップＳ５０の前又は後に、検出圧力値Ｐを中間圧力値Ｐａと比較し、一致すれば、その時点の計時値ｔａを後で読出や表示可能にメモリ４０に格納しておくようにしてもよい。
【００４５】
なお、場合によっては、第一実施例において、ゴール地点Ｇでの圧力値情報（例えば他の機器により測定された結果）に基づいて、当該目標圧力Ｐｇの数値自体を手動等で入力してメモリ４０に格納するようにしてもよい。この場合でも、スキーヤーＭが手動操作することなくゴール地点Ｇで計時を停止させ得るというメリットがあることには変わりはない。
【００４６】
また、測定確度は多少落ちるものの、目標圧力値Ｐｇをゴール地点Ｇで設定する代わりに、例えば、スタート地点Ｂで圧力値Ｐｂを測定し、事前にわかっているスタート地点Ｂとゴール地点Ｇとの高度差ΔＨを元にゴール地点Ｇでの圧力値Ｐｇを例えば前述の式などを利用して算出し、その算出値を目標圧力値Ｐｇとしてもよい。この場合でも、日々又は時々刻々変動するコース周辺の圧力を、最新時点で計測してこれを基準値Ｐｇの算出の基礎にする点で、確度を比較的高くし得る。
【００４７】
このような例を本発明による好ましい第二実施例として、図１の（ａ）のブロック図の代わりに図１の（ｂ）のブロック図を用い、且つ図３の（ａ）のフローチャートの代わりに図３の（ｂ）のフローチャートを用いて、第一実施例とは異なる部分に関して、より詳しく説明する。なお、図１の（ｂ）では、第一実施例の場合と同一の部分又は同様な部分には、同一の参照符号が用いられ、基本的には同様であるけれども異なる機能を含む部分には、参照符号の末尾に「ａ」が付されており、一方、図３の（ｂ）フローチャートでは、処理ステップの順番どおりの参照符号の末尾に「ａ」が付されている。
【００４８】
図１の（ｂ）のストップウォッチ１ａでは、入力部５０ａが、高度差入力部５３を含む。この高度差入力部５３は、例えば、専用のボタンからなっていても、ボタン５１、５２などを併用するようになっていてもよい。いずれにしても、制御部６１ａが高度差ΔＨの入力を受付ける状態にある際、高度差入力部５３を操作して、スタート地点Ｂとゴール地点Ｇとの高度差ΔＨを入力する。この高度差ΔＨは、典型的には、目標値設定制御部６１ａの制御下で記憶部４０ａに格納される。
【００４９】
図１の（ｂ）のストップウォッチ１ａは、また、スタート地点Ｂにおける気圧値Ｐｂと高度差ΔＨとに基づいて、停止位置すなわちゴール地点Ｇにおける気圧推定値Ｐｇａを求める停止位置気圧値演算部６５を有する。ここで、圧力Ｐｇａは、例えば前述の場合と同様に、式Ｐｇａ＝Ｐｂ・ｅｘｐ｛−α・ΔＨ／Ｔ｝から求める。圧力に限っては、参照符号の最後に「ａ」が付されている量は、演算式により求めた推定値である。なお、温度Ｔとしては、例えば、ストップウォッチ１ａに一体的に組込まれた温度センサ１０ａにより検出される検出値が用いられる。但し、温度がわかっているような場合には、例えば、高度差入力部５３入力ボタンにより温度の値を入力し得るようにしておいてもよい。なお、求められたゴール地点における推定圧力値Ｐｇａは、目標値として、メモリ４０ａに格納される。
【００５０】
また、この例においては、計測開始停止指示部５２ａでは、当初の押圧により計測開始信号Ｓｔではなくてカウントダウン開始信号Ｓｔｄが、計測開始よりも所定時間（例えば１０秒程度）前に、与えられる。すなわち、計測開始停止指示部より正確にはカウントダウン開始・計測停止指示部５２ａを構成するボタン（例えば図５の（ｂ）の押しボタンスイッチ５２）を押圧することにより、カウントダウン開始信号Ｓｔｄが計時制御部６３ａに与えられ、計時制御部６３ａは、該信号Ｓｔｄをカウントダウンカウンタ３１に送って、該カウントダウンカウンタ３１に、「−１０（１０秒前の意味、以下同様）、−９、−８、・・・、−３、−２、−１、０」のスタートまでの計時（カウントダウン）を行なわせる。カウントダウンカウンタ３１は、カウント値がゼロ（０）に落ちると、計時開始信号Ｓｔを、計時制御部６３ａに与える。それ以降における関連動作は、図１の（ａ）で示したものと同様である。勿論、図１の（ａ）の場合にも、このようなカウントダウン動作が行なわれるように構成されていてもよい。なお、所望ならば、カウントダウンカウンタ３１は、前述のカウンタ３０と併用され得る。カウントダウン開始信号Ｓｔｄは、また、計時制御部６３ａから目標値設定制御部６１ａに与えられ、目標値設定制御部６１ａは、圧力測定部１０に対して当該時点における圧力値すなわちスタート地点Ｂにおけるスタート直前の圧力値Ｐｂの検出を行なわせると共に、温度センサ１０ａに対して温度Ｔの検出を行なわせる。
【００５１】
この場合、図２に示した目標値入力処理１０において、図３の（ａ）に示した処理手順の代わりに図３の（ｂ）に示した処理手順で目標値入力処理Ｓ１０ａを行なう。
【００５２】
すなわち、まず、高度差入力部５３を操作してスタート地点Ｂとゴール地点Ｇとの高度差ΔＨを入力する（ステップＳ１１ａ）。更に、スタート地点においてカウントダウン開始・計時停止指示部５２ａを操作してカウントダウン開始を指示することにより（ステップＳ１２ａ）、カウントダウンカウンタ３１でのカウントダウン動作を開始させる（ステップＳ１３ａ）。
【００５３】
なお、カウントダウン開始信号Ｓｔｄは、また、目標値設定制御部６１ａに与えられて、該制御部６１ａの制御下で、圧力測定部１０によるスタート地点Ｂでの圧力Ｐｂの検出、及び温度センサ１０ａによる温度Ｔの検出を行なわせ、夫々の検出値Ｐｂ、Ｔを、該制御部６３ａで一時的に保持するか記憶部４０ａの所望領域に格納させる（ステップＳ１４ａ）。なお、このスタート地点圧力Ｐｂ及び温度Ｔの測定は、カウントダウン開始処理Ｓ１３ａの前に行なわれるようにしておいてもよいけれども、圧力や温度の時間に依存する変動の影響を最小限に抑えるためには、スタートの直前（短いカウントダウン時間を無視すれば実際上スタートの際）に行なわれる方が好ましい。また、前述のように、温度Ｔについては、他の手段で測定され情報（例えばゲレンデの気象情報）として得られる値を入力してもよい。
【００５４】
圧力Ｐｂ及び温度Ｔの測定が完了すると、目標値設定制御部６１ａの制御下で、停止位置気圧値演算部６５により、ゴール地点の推定気圧値Ｐｇａが求められる（ステップＳ１５ａ）。この結果は、所望に応じて、表示される（ステップＳ１６ａ）。
【００５５】
このようにして、目標値入力処理Ｓ１０ａ（図２では符号Ｓ１０で示したステップ）が完了し、更に、カウントダウンカウンタ３１でのカウント値がゼロ（０）に落ちると、計時開始信号Ｓｔが出力され、時間計測開始処理Ｓ２０に入る。すなわち、図４のステップＳ２１をＹで抜けると共に、前述の場合と同様な計時処理に入る。なお、カウントダウンカウンタ３１のカウント値が、スタートの例えば３秒前になると、計時制御部６３ａを介して、報知音発生部（図示せず）が駆動されて、一秒毎に「ピッ」と言う音を出し、カウントダウンが完了すると例えば「ピィー」という音により、スキーヤーのようなユーザにスタートすべき旨を知らせる。
【００５６】
計時開始後における動作は、目標値が実測値Ｐｇの代わりに推定値Ｐｇａである点を除いて前述の場合と同様であるので、説明は省略する。
【００５７】
なお、第一実施例の場合、当初ゴール地点Ｇで気圧Ｐｇを測定する測定する時点ｔａの後、スタート地点Ｂに移動してスタート順を待ってスタートする時点ｔｂまでの間に、相当の時間が経過することも少なくない。そのような場合、ゲレンデないし滑降コースのある地域の気圧Ｐが無視し難いレベルまで変動する虞れがあり得る。すなわち、時点ｔａにおけるゴール地点Ｇでの気圧Ｐｇ（ｔａ）とスタート時点ｔｂにおけるゴール地点Ｇでの気圧Ｐｇ（ｔｂ）とについて、Ｐｇ（ｔａ）≠Ｐｇ（ｔｂ）とみなさざるを得ない程度の差異が生じることがあり得る。このような気圧変動を考慮した第三実施例のストップウォッチ１ｂは、図１の（ａ）や（ｂ）の代わりに図７で示したようなブロック図で示される機能構成を有し、図２及び図３の（ａ）や（ｂ）の代わりに図８で示したようなフローチャートで示される手順ないしプロセスで操作され動作する。
【００５８】
図７において、図１に示した要素と同様な要素に付いては同一の参照符号を用い、機能的に少し異なる部分ないし要素には、同一の参照符号の後に添字「ｂ」を付してある。
【００５９】
このストップウォッチ１ｂは、図７に示したように、図１の（ｂ）のストップウォッチ１ａと比較した場合、停止位置気圧値演算部６５の代わりに、気圧変動傾向ないし気圧変動速度ΔＰ／Δｔ演算部６６並びに停止位置気圧値第一推定演算部６７及び停止位置気圧値第二推定演算部６８を有する。
【００６０】
記憶部４０ｂには、図１の（ａ）のストップウォッチ１の場合と同様に、スタート地点Ｂに登る前の時点ｔａにおけるゴール地点Ｇの気圧値Ｐｇ（ｔａ）が、目標値設定指示部５１での指示に応じて、圧力測定部１０により測定されて格納されると共に、図１の（ｂ）のストップウォッチ１ａの場合と同様に、カウントダウン処理開始後すなわちスタート直前の時点ｔｂにおけるスタート地点Ｂの気圧値Ｐｂ（ｔｂ）が、カウントダウン開始・停止指示部５２ａからのカウントダウン信号Ｓｔｄに応じて、圧力測定部１０により測定されて格納される。なお、このとき、図１の（ｂ）のストップウォッチ１ａの場合と同様に、気温Ｔが温度センサ１０ａにより測定されて、測定結果Ｔが記憶部４０ｂに格納される。また、図１の（ｂ）のストップウォッチ１ａの場合と同様に、カウントダウンの開始前に、高度差入力部５３での指示に応じて、スタート地点Ｂとゴール地点Ｇとの高度差ΔＨが記憶部４０ｂに格納される。
【００６１】
停止位置気圧値第一推定演算部６７では、スタート直前の時点ｔｂにおけるスタート地点Ｂでの測定気圧値Ｐｂ（ｔｂ）及び気温Ｔ並びに高度差ΔＨに基づいて、当該時点におけるゴール地点Ｇでの推定気圧値Ｐｇａ（ｔｂ）を求め、記憶部４０ｂに格納する。なお、この演算は、例えば、前述の演算式と同様の演算式に基づいて行なわれる。
【００６２】
気圧変動傾向演算部６６すなわちΔＰ／Δｔ演算部６６では、例えば、時点ｔｂにおけるゴール地点での推定気圧値Ｐｇａ（ｔｂ）と時点ｔａにおけるゴール地点Ｇでの実測気圧値Ｐｇ（ｔａ）とに基づいて、気圧変動傾向ないし気圧変動速度ΔＰ／Δｔを、｛Ｐｇａ（ｔｂ）−Ｐｇ（ｔａ）｝／（ｔｂ−ｔａ）によって求める。
【００６３】
停止位置気圧値第二推定演算部６８では、スタート後の任意の時点ｔにおいて滑降中の場所での気圧値Ｐを測定する毎に、時点ｔａにおけるゴール地点Ｇでの実測気圧値Ｐｇ（ｔａ）と気圧変動傾向値ΔＰ／Δｔとに基づいて、最新の気圧測定時点ｔにおけるゴール地点Ｇでの推定気圧値Ｐｇａ（ｔ）を、Ｐｇａ（ｔ）＝Ｐｇ（ｔａ）＋（ΔＰ／Δｔ）・（ｔ−ｔａ）により求める。
【００６４】
尚、スタート時点をｔｉとすると、ｔ−ｔａ＝（ｔ−ｔｉ）＋（ｔｉ−ｔａ）であり、ゴール地点Ｇでの最初の気圧測定時点ｔａからスタート時点ｔｉまでの時間（滑降開始後の時点では夫々の滑降毎に一定値）と、滑降開始後で最新測定時点の時間との和である。なお、例えば、典型的には、（ｔｉ−ｔｂ）＜＜（ｔ−ｔｉ）＜＜（ｔｉ−ｔａ）であるとすると、所望ならば、（ｔ−ｔａ）〜（ｔ−ｔｉ）＋（ｔｂ−ｔａ）とみなして、Ｐｇａ（ｔ）＝Ｐｇａ（ｔｂ）＋（ΔＰ／Δｔ）・（ｔ−ｔｉ）として処理してもよい。
【００６５】
比較部６２は、目標値としては、最新の補正済みのゴール地点推定気圧値Ｐｇａ（ｔ）を用い、最新測定時点ｔでの実測気圧値Ｐ（ｔ）を、最新の補正済みのゴール地点推定気圧値Ｐｇａ（ｔ）と比較して、ゴール地点Ｇに到達したかどうかをチェックする。
【００６６】
以上のように構成された図７のストップウォッチ１ｂの操作及び動作を、図８のフローチャートに基づいて簡単に説明する。
【００６７】
まず、目標値設定指示部５１での指示により、ゴール地点Ｇでの気圧Ｐｇ（ｔａ）を、圧力測定部１０で測定して、記憶部４０ｂに格納する（ステップＳＡ１２）。このステップＳＡ１２は、時計の計時部（図示せず）から測定時刻情報ｔａを得て該測定時点ｔａをも記憶部４０ｂに格納する点を除いて、実際上、図３の（ａ）のステップＳ１２と同一である。図８では、図３の（ａ）のステップＳ１１の図示は省略してある。なお、この時点ｔａに、例えば、ゼロ（０）にリセットされる計時カウンタを別個に備えておいてもよい。勿論、所望ならば、カウンタ３０をこのカウンタとして併用してもよい。
【００６８】
次に、高度差入力部５３で高度差ΔＨを入力する（ステップＳＡ１１ａ）。このステップＳＡ１１ａは、スタート地点で行なえばよい。但し、所望ならば、ゴール地点Ｇで行なっても、場合によっては、ステップＳＡ１２よりも前に行なってもよい。
【００６９】
次に、カウントダウン開始・停止指示部５２ａにより、スタート地点Ｂでのカウントダウンを開始させる（ステップＳＡ１３ａ）。このステップＳＡ１３ａは、図３の（ｂ）のカウントダウン開始関連処理Ｓ１２ａ及びＳ１３ａと同一である。
【００７０】
次に、カウントダウン開始後の時点ｔｂにおいて、スタート地点Ｂの気圧Ｐｂ（ｔｂ）を測定する（ステップＳＡ１４ａ）。このステップＳＡ１４ａは、ステップＳＡ１２ａの場合と同様に測定時刻情報ｔｂをも記憶部４０ｂに格納する点を除いて、図３の（ｂ）のステップＳ１４ａと同一である。
【００７１】
次に、カウントダウンの進行中に、停止位置気圧値第一推定演算部６７により、時点ｔｂにおけるゴール地点Ｇでの推定気圧値Ｐｂａ（ｔｂ）を求めて、ゴール地点での気圧値Ｐｂ（ｔｂ）を推定し記憶部４０ｂに格納する（ステップＳＡ１５ａの前半）。更に、気圧変動傾向演算部６６により、前述のようにして気圧変動傾向ΔＰ／Δｔを求めて記憶部４０ｂに格納する（ステップＳＡ１５ｂの後半）。
【００７２】
カウントダウンカウンタ３１によるカウントダウンが完了すると、時間計測が開始され（ステップＳ２０）、時間ｔの計測が行なわれ（ステップＳ３０）、当該時点ｔにおける気圧Ｐ（ｔ）が測定される（ステップＳ４０）。これらのステップＳ２０〜Ｓ４０は、前述の対応ステップと同一である。
【００７３】
気圧Ｐ（ｔ）の測定が行なわれる毎に、停止位置気圧値第二推定演算部６３ｄにより、当該時点ｔにおけるゴール地点Ｇでの推定気圧値Ｐｇａ（ｔ）が補正により求められる（ステップＳＡ５０Ａ）。ステップＳＡ５０ＡがステップＳ３０の後である限り、ステップＳ３０及びＳ５０ＡとステップＳ４０とはできる限り同時に行なわれることが好ましく、これらのフローチャートでの順序は異なっても、可能な限り並列処理でもよい。
【００７４】
更に、測定気圧値Ｐ（ｔ）が推定目標気圧値Ｐｇａ（ｔ）に達したかどうかが比較部６２で比較される（ステップＳＡ５０Ｂ）。このステップＳＡ５０Ｂは、目標値Ｐｇａ（ｔ）が時々刻々補正される値である点を除いて、図３の（ａ）及び（ｂ）のステップＳ５０及びＳ５０ａと実際上同一である。
【００７５】
このようにして、目標値に達するまで、計測が繰返され、目標値に達すると、ストップウォッチ１ｂの計測が停止され（ステップＳ７０）、計測時間が表示される（ステップＳ８０）．これらのステップＳ７０、Ｓ８０は、図３の（ａ）及び（ｂ）のステップＳ７０、Ｓ８０と実際上同一である。
【００７６】
以上においては、スキーの滑降を例にとって説明したけれども、このストップウォッチ１は、マウンテンバイクの走行時間やハンググライダ−の飛行時間などの他のスポーツの計時のためにも用い得る。また、スキーの滑降等では圧力ないし高度が位置をあらわす適切な物理量であるのでセンサとして圧力センサを用いる例について説明したけれども、計時対象が変われば、計測すべき物理量は適宜変えればよい。
【図面の簡単な説明】
【図１】本発明による好ましい実施例のストップウォッチの構成ないし機能を説明するためのもので、（ａ）は第一実施例のストップウォッチのブロック図、（ｂ）は第二実施例のストップウォッチについての同様なブロック図。
【図２】図１のストップウォッチの全般的操作ないし動作のフローチャート。
【図３】図２のフローチャートのうち目標値入力処理の詳細を示したもので、（ａ）は図１の（ａ）のストップウォッチについての目標値入力処理の詳細なフローチャート、（ｂ）は図１の（ｂ）のストップウォッチについての目標値入力処理の詳細なフローチャート。
【図４】図２のフローチャートのうち時間計測開始処理の詳細なフローチャート。
【図５】図１のストップウォッチの一部の機械的な配置など説明するためのもので、（ａ）は（ｂ）のＶＡ−ＶＡ線断面拡大説明図、（ｂ）はストップウォッチを腕にはめている状態の斜視説明図。
【図６】図１のストップウォッチを用いて滑降をする場合におけるゲレンデ等の説明図。
【図７】本発明による好ましい第三実施例のストップウォッチの構成ないし機能を説明する図１と同様なブロック図。
【図８】図７のストップウォッチの全般的操作ないし動作のフローチャート。
【符号の説明】
１、１ａ、１ｂ  ストップウォッチ
２  本体部
３  バンド
１０  圧力測定部（圧力センサ）
１０ａ  温度センサ
１４  室
１６  溝
１７  間隙
３０  カウンタ
３１  カウントダウン・カウンタ
４０、４０ａ、４０ｂ  記憶部
５０、５０ａ  入力部
５１  目標値設定指示部（目標値設定指示ボタン）
５２  計時開始・停止指示部（計時開始・停止指示ボタン）
５２ａ  計測（カウントダウン）開始・計時停止指示部
５３  高度差入力部
６０、６０ａ、６０ｂ  制御部
６１、６１ａ、６１ｂ  目標値設定制御部
６２  比較部
６３、６３ａ  計時制御部
６５  停止位置気圧値演算部
６６  気圧変動傾向（ΔＰ／Δｔ）演算部
６７  停止位置気圧値第一推定演算部
６８  停止位置気圧値第二推定演算部
７０  表示部
Ｐ  圧力
Ｐｂ（ｔｂ）  時点ｔｂにおけるスタート地点での測定圧力
Ｐｇ  目標圧力
Ｐｇ（ｔａ）  時点ｔａにおけるゴール地点での測定圧力
Ｐｇａ  推定目標圧力
Ｐｇａ（ｔ）  時点ｔでの補正された目標圧力
Ｐｇａ（ｔｂ）  時点ｔｂでのゴール地点での推定圧力
ΔＨ  高度差
ΔＰ／Δｔ  気圧変動傾向（気圧変動速度）
Ｔ  温度
【図１】
0004313511.tif 000002
【図２】
0004313511.tif 000003
【図３】
0004313511.tif 000004
【図４】
0004313511.tif 000005
【図５】
0004313511.tif 000006
【図６】
0004313511.tif 000007
【図７】
0004313511.tif 000008
【図８】
0004313511.tif 000009